(57)【要約】【課題】低コストで乗りかご内の放送音量を制御し、乗客の乗り心地の良さを向上させたエレベータ装置を提供する。【解決手段】  本発明に係るエレベータ装置は、  乗りかごと、前記乗りかご内に放送音を放送するためのスピーカと、前記乗りかご及び前記放送を制御する制御装置とを有するエレベータ装置において、  前記制御装置は、前記乗りかご内の乗客数に対応する音量信号を出力する乗客数音量変換部と、前記音量信号に対応する音量を選択して前記スピーカから前記乗りかご内に放送音を放送する音量調整部とを有することを特徴とする。【選択図】図２
2016005982.tif 000002
【特許請求の範囲】
【請求項１】
乗りかごと、前記乗りかご内に放送音を放送するためのスピーカと、前記乗りかご及び前記放送を制御する制御装置とを有するエレベータ装置において、
前記制御装置は、前記乗りかご内の乗客数に対応する音量信号を出力する乗客数音量変換部と、前記音量信号に対応する音量を選択して前記スピーカから前記乗りかご内に放送音を放送する音量調整部と、を有することを特徴とするエレベータ装置。
【請求項２】
前記乗りかごは、前記乗りかご内の荷重を検出する荷重検出装置を有し、前記乗客数音量変換部は、前記荷重検出装置が出力する荷重信号に対応する前記音量信号を出力することを特徴とする請求項１記載のエレベータ装置。
【請求項３】
前記荷重信号に閾値を設定し、前記音量調整部は、前記荷重信号が前記閾値より大きい場合に大きい音量を選択し、前記荷重信号が前記閾値より小さい場合に小さい音量を選択することを特徴とする請求項２記載のエレベータ装置。
【請求項４】
前記放送音が、バックグラウンドミュージック又は音声案内であることを特徴とする請求項１乃至３のいずれか１項に記載のエレベータ装置。
【請求項５】
前記放送音が、バックグラウンドミュージックであり、前記制御装置は、時間帯毎に切替信号を与える時間帯切替部と、前記時間帯切替部からの切替信号を受けて前記バックグラウンドミュージックのジャンルを変更するジャンル選択部とを更に有することを特徴とする請求項１乃至３のいずれか１項に記載のエレベータ装置。
【請求項６】
前記制御装置は、前記音量調整部、前記時間帯切替部及び前記ジャンル選択部を備えた放送装置を有することを特徴とする請求項５記載のエレベータ装置。
【請求項７】
さらに、前記乗りかごの上部にかご上制御装置を備え、前記制御装置と前記かご上制御装置とがテールコードを介して接続されたことを特徴とする請求項１乃至６のいずれか１項に記載のエレベータ装置。
【発明の詳細な説明】
【技術分野】
【０００１】
本発明は、エレベータ装置に関し、より具体的には乗りかご内にバックグラウンドミュージック（以下、ＢＧＭと称する）や音声案内等の放送音を放送する手段を備えたエレベータ装置に関する。
【背景技術】
【０００２】
本技術分野の背景技術として、特開平９‐２９７５８７号公報（特許文献１）がある。特許文献１には、時々刻々変化するエレベータのかご内乗客の聴音環境に対応してメッセージまたはＢＧＭを制御できるようにするために、かご内マイクロホンの出力信号をかご内音分析手段で音成分信号に分析し、かご内放送装置からの放送信号を放送信号音分析手段で音声成分信号に分析し、分析信号演算手段で音成分信号からの音成分信号を演算し、音信号合成手段で合成して騒音信号を得、騒音信号の大きさ及び騒音信号と放送信号との関係により放送音量を制御したり、放送内容を切り替えたりする構成が記載されている。
【先行技術文献】
【特許文献】
【０００３】
【特許文献１】特開平９‐２９７５８７号公報
【発明の概要】
【発明が解決しようとする課題】
【０００４】
しかしながら、特許文献１に記載されたエレベータ装置は騒音レベルに応じてＢＧＭ放送の音量を制御しているが、騒音レベルが小さくても乗りかご内の放送音が聞こえにくいことがある。具体的に言うと、乗りかご内の乗客数が多いときは放送音が乗客に吸収され、乗客数が少ないときと同じ放送音量では聞こえにくくなる状況が生じる。しかしながら、特許文献１に記載の技術ではマイクロホンで検出された騒音のレベルに応じて放送音量が調整されるため、乗客数が多くても乗客が会話をしていないと騒音レベルが小さいと判断され、放送音量が大きくなるように調整されない。
【０００５】
また、乗りかご内の騒音レベルに応じて放送音量を常時調整する構成では乗客が会話を始めると騒音レベルが高くなり、放送音量が大きくなるため、乗客の会話を妨げ乗客に不快感を与えることが懸念される。また、乗客が会話を始める度に、又は会話を終える度に放送音量が調整されるため、頻繁な放送音量の調整が耳触りとなり乗客に不快感を与えることが懸念される。このようにマイクロホンで検出される騒音レベルに応じて放送音量を調整する構成では、過度な音量調整が乗客の乗り心地の良さを低減させる恐れがあった。
【０００６】
さらに、特許文献１記載の技術では、乗りかご内の騒音を検出するためのマイクロホンを乗りかごに設置する必要があり、設備コストが増大することが懸念される。
【０００７】
以上述べたとおり、従来の乗りかご内の放送音量の制御について、乗客の乗り心地の良さ及びコストの点で、更なる改善が望まれていた。
【０００８】
そこで本発明の目的は、上記事情に鑑み、乗りかご内の放送音量を制御し、乗客の乗り心地の良さを向上させたエレベータ装置を提供することにある。
【課題を解決するための手段】
【０００９】
上記課題を解決するために、本発明は、乗りかごと、前記乗りかご内に放送音を放送するためのスピーカと、前記乗りかご及び前記放送を制御する制御装置とを有するエレベータ装置において、
前記制御装置は、前記乗りかご内の乗客数に対応する音量信号を出力する乗客数音量変換部と、前記音量信号に対応する音量を選択して前記スピーカから前記乗りかご内に放送音を放送する音量調整部とを有することを特徴とするエレベータ装置を提供する。
【発明の効果】
【００１０】
本発明のエレベータ装置によれば、乗りかご内の放送音量を制御し、乗客の乗り心地の良さを向上させたエレベータ装置を提供することができる。なお、上述した以外の課題、構成および効果は、以下の実施形態の説明により明らかにされる。
【図面の簡単な説明】
【００１１】
【図１】本発明に係るエレベータ装置の構成の一実施形態を示す模式図である。
【図２】図１のエレベータ制御装置のブロック構成図である。
【発明を実施するための形態】
【００１２】
以下、本発明の実施例を図面に基づいて説明する。
【実施例１】
【００１３】
図１は、本発明に係るエレベータ装置の構成の一実施形態を示す模式図である。図１に示したように、本発明に係るエレベータ装置１００は、乗りかご１と、乗りかご１内に放送音を放送するためのスピーカ２と、乗りかご１及び放送を制御する（放送のオン／オフ、放送内容及び放送音量等を制御する）エレベータ制御装置８（以下、制御装置と称する）とを有する。なお、本発明において「放送音」とは、例えばＢＧＭや音声案内放送等のエレベータの乗りかご内に放送されるものを意味する。
【００１４】
乗りかご１には、前述したスピーカ２の他に、かご内位置表示器３と、かご内操作盤４と、乗りかご１内の荷重を検出する荷重検出装置５が設置されており、これらかご周りの機器は乗りかご１の上部に配置したかご上制御装置６からのテールコード７を介して制御装置８に接続されている。かご上制御装置６は、荷重検出装置５で出力された荷重信号を検出し、制御装置８に送信する。また、制御装置８は、後述する放送装置１１で出力された信号をかご上制御装置６に送信し、この信号に基づいてかご上制御装置６はスピーカ２を介して乗りかご１内に放送音を放送する。
【００１５】
図２は、図１の制御装置８のブロック構成図である。
【００１６】
制御装置８は、荷重検出装置５からの荷重信号を取り込む受信信号検出部９と、この受信信号検出部９で受信した信号に対応する音量信号（音量調整信号）を出力する乗客数音量変換部１０と、乗客数音量変換部１０からの信号に対応する音量を選択する音量調整部１２と、複数の音楽ジャンルを選択可能なジャンル選択部１３と、時間帯に応じてジャンル選択部１３の音楽ジャンルを切り替える時間帯切替部１４と放送を制御する放送プログラムを格納した記憶部１５と、各部を放送プログラムに従って制御する制御部１６とを有している。本実施例では、音量調整部１２、ジャンル選択部１３及び時間帯切替部１４を含む部分を放送装置１１としている。
【００１７】
乗りかご１内の乗客数は、荷重検出装置５による荷重信号として出力され、かご上制御装置６を介して制御装置８に送信される。受信信号検出部９は、この荷重信号を受信すると、乗客数音量変換部１０に送信する。乗客数音量変換部１０では、荷重信号、つまり乗客数に応じて音量が決定され、音量信号として出力される。乗客数に比例した音量の出力方法に特段の限定は無いが、一例を挙げると、荷重信号の大きさに閾値を設け、この閾値を越えた場合（乗客数が所定の人数よりも多い場合）には、音量大信号を出力し、逆にこの閾値を下回る場合（乗客数が所定の人数よりも少ない場合）には音量小信号を出力するようにしてもよい。また、閾値は１つに限られず、複数設定して、音量出力信号を複数段階に分け、放送音の音量調整が複数段階に分けて調整されるようにしてもよい。
【００１８】
音量大信号を受けた放送装置１１の音量調整部１２は、予め定められた大音量を選択し、かご上制御装置６に送信する。かご上制御装置６は音量調整部１２で選択された大音量でスピーカ２を介して乗りかご１内に放送音を放送する。このとき、乗りかご１内の乗客は多いので、乗りかご１内全体として放送音が聞き取りづらい状況となっているが、過度に小さくすることなく心地よく聞くことのできる音量に調整される。
【００１９】
一方、音量小信号を受けた放送装置１１の音量調整部１２は、予め定められた小音量を選択し、かご上制御装置６に送信する。かご上制御装置６は音量調整部１２で選択された小音量でスピーカ２を介して乗りかご１内に放送音を放送する。このとき、乗りかご１内の乗客は少ないので、乗りかご１内全体として音楽放送を聞き取り易い状況となっており、過度に大きくすることなく心地よく聞くことのできる音量に調整される。
【００２０】
なお、上述した乗客数音量変換部１０および音量調整部１２による音量調整は、音量大信号と音量小信号とに対応するものに限らず、さらに信号を細かく区分し、音量調整を細かく行うこともできる。
【００２１】
上述した態様では乗りかご１内の乗客に加えて荷物も荷重として検出されるが、荷物も乗客と同様に、その荷重が大きい（荷物の量が多い）と放送音を吸収し、乗りかご１内の放送音を聞き取りにくくするものであるので、荷物の荷重が乗客の荷重に加算されても問題は無い。
【００２２】
乗客数を算出する手段としては特に限定は無く、例えば乗りかご１内に監視カメラを設け、画像解析の結果から乗客数を算出する態様であってもよいし、荷重検出装置とカメラとを組み合わせたものであってもよい。上述した特許文献１では乗りかごにマイクロホンを設置する必要があるが、エレベータ装置は通常荷重検出装置及びカメラを備えているので、本発明のエレベータ装置は既存のエレベータに設備を追加すること無く、制御装置内に、荷重信号によって音量が調整されるように改良を加えることで実現できるものであるから、非常に簡便かつ低コストで実現できるものである。
【００２３】
なお、荷重検出装置５における荷重の検出レベルの感度は、制御装置８にフィルタを設けることで調整することができる。例えば、乗客が乗りかご１内を移動したときのような微小な重量変化は乗りかご１内の荷重の変化に寄与しないように制御装置８を設定することが可能である。上述した閾値と荷重の検出レベルの感度を調整することによって適度な音量調整を設定することができ、乗客の乗り心地の良さを向上することができる。
【００２４】
乗りかご１内に放送する放送音がＢＧＭである場合、制御装置８は、更に時間帯切替部１４及びジャンル選択部１３を備えていてもよい。ジャンル選択部１３は、時間帯切替部１４からの信号を受けて音楽のジャンルを決定する。この時間帯切替部１４は朝、昼、夜などの時間帯区分を有しており、これらの時間区分信号を受けたジャンル選択部１３は、朝の時間区分信号の場合、朝専用のジャンル（例えば、爽やか系として区分されたジャンル）の音楽を提供する。またジャンル選択部１３は、昼の時間区分信号の場合、昼専用のジャンル（例えば、癒し系として区分されたジャンル）の音楽を提供し、夜の時間区分信号の場合、夜専用のジャンル（例えば、しっとり系のジャンル）の音楽を提供することができる
【００２５】
このように音楽ジャンルを選択することで、乗客の気分や状況に合わせた雰囲気を乗りかご１内に作り出すことができる。しかも、上述したようにスピーカ２から出力される音量は乗客の乗り心地の良さを保つように調節される。したがって、乗りかご１内の放送音を、乗客の気分に合わせた曲調及び快適な音量で提供できるので、乗客の乗り心地の良さを大きく向上することができる。
【００２６】
また、ジャンル選択部１３によって時間帯毎の曲調を選定しているので、この曲調に合わせて時間帯毎に音量大信号と音量小信号の調整を加えることもできる。
【００２７】
以上説明したように、本発明は低コストで乗りかご内の放送音量を制御し、乗客の乗り心地を向上させたエレベータ装置を提供することができることが示された。
【００２８】
なお、本発明は、上述した実施例に限定するものではなく、様々な変形例が含まれる。例えば、上述した実施例は本発明を分かり易く説明するために詳細に説明したものであり、必ずしも説明した全ての構成を備えるものに限定するものではない。本発明は、本明細書の実施形態や実施例の構成の一部について、削除・他の構成に置換・他の構成の追加をすることが可能である。
【符号の説明】
【００２９】
１…乗りかご、２…スピーカ、５…荷重検出装置、６…かご上制御装置、７…テールコード、８…エレベータ制御装置、９…受信検出部、１０…乗客数音量変換部、１１…放送装置、１２…音量調整部、１３…ジャンル選択部、１４…時間帯切替部、１５…記憶部、１６…制御部、１００…エレベータ装置。
【図１】
2016005982.tif 000003
【図２】
2016005982.tif 000004